(57)【要約】【課題】  従来の一般的な足枕は単一高さでしか使用できないものがほとんどである。又、高さ調節を可能にした足枕では、高さ調節のための構造が複雑となり且つ操作が面倒であった。【解決手段】  仰向き横臥姿勢でそれぞれ足を載せ得る２つの足載せ台２，３を略Ｌ形に一体形成しているとともに、各足載せ台は、その一方を所定高さの高足載せ台２とし他方をそれより高さの低い低足載せ台３としていることにより、簡単な構成及び操作で高低２通りの足載せ高さで使用できるようにしている。【選択図】  図１
0003131801.tif 000002
【実用新案登録請求の範囲】
【請求項１】
仰向き横臥姿勢でそれぞれ足を載せ得る２つの足載せ台（２，３）を略Ｌ形に一体形成しているとともに、
前記各足載せ台（２，３）は、その一方を所定高さの高足載せ台（２）とし他方をそれより高さの低い低足載せ台（３）としている、
ことを特徴とする安眠足枕。
【請求項２】
請求項１において、
高足載せ台（２）の外側面（２２）と低足載せ台（３）の外側面（３２）とのなす角度（ａ）を直角よりやや小さい鋭角に設定している、
ことを特徴とする安眠足枕。
【考案の詳細な説明】
【技術分野】
【０００１】
本願考案は、就寝時に足を載せるための安眠足枕に関するものである。
【背景技術】
【０００２】
足を高くして就寝すると、足の疲労回復が早く且つ心地よい眠りに着くことができるという機能があることが知られており、その効果は医師にも認められている。
【０００３】
足を高くして就寝するための足枕として、従来から多数のものが提案されている。
【０００４】
例えば、登録実用新案第３０１５１８６号公報（特許文献１）には、所定高さ（厚さ）を有した枕体の上面に各足（脹ら脛部）を安定状態で載せるための２つの窪み部を設けた足枕が示されている。この特許文献１の足枕は、高さが一定（不変）である。
【０００５】
ところで、足枕に仰向き横臥姿勢で足を載せる場合、使用者の身長（足の長さ）や、足の疲労度合いや、使用者の好み、等によって足枕の足載せ部の高さが変えられるようにすることが好ましいが、上記特許文献１のものでは、高さが一定（不変）であるので、高さ変更のニーズに対応できなかった。
【０００６】
他方、公知の足枕の中には、例えば特開２００３−２１０２８２号公報（特許文献２）に示されるように、足載置部の高さを調節し得るようにしたものが知られている。この特許文献２の足枕は、基台となる受け板と足載置台との間の四隅に、長さの異なる調整脚（４種類×４本）を付け替えることで、足載置部の高さを変更できるようになっている。
【０００７】
【特許文献１】登録実用新案第３０１５１８６号公報
【特許文献２】特開２００３−２１０２８２号公報
【考案の開示】
【考案が解決しようとする課題】
【０００８】
ところが、上記特許文献２に開示された足枕は、足載置部の高さ調節が可能であるものの次のような欠点があった。
【０００９】
第１に、受け板と足載置台と複数組（４種類×４本）の調整脚が必要であって、部品点数が多くなるとともに製作コストが高くつく。第２に、足載置部の高さを変更する度に、既設の調整脚（４本１組）を取外した後、別の調整脚（４本１組）を組付ける必要があり、その調整脚の付け替え作業が面倒である。第３に、不使用の調整脚（残りの３組１２本）の保管場所が必要である。第４に、調整脚が４本１組なので、そのうちの１本でも破損又は紛失すると当該高さの設定ができない、等の欠点があった。
【００１０】
そこで、本願考案は、極めて簡単な構成及び操作で、２つの足支持高さに変更し得るようにした安眠足枕を提供することを目的としている。
【課題を解決するための手段】
【００１１】
本願考案は、上記課題を解決するための手段として次の構成を有している。尚、本願考案は、主として就寝時に足を載せるための安眠足枕を対象にしている。
【００１２】
本願考案の安眠足枕は、仰向き横臥姿勢でそれぞれ足を載せ得る２つの足載せ台を略Ｌ形に一体形成しているとともに、各足載せ台は、その一方を所定高さの高足載せ台とし他方をそれより高さの低い低足載せ台としたものである。
【００１３】
本願の足枕は、例えば低反発ウレタンフォームのような保形性と適度の弾性を有する材料で一体成形したものが使用できる。尚、足枕材料の芯部には、必要に応じて硬質材料からなる補強芯材を埋設してもよい。
【００１４】
本願の足枕の大きさとしては、特に限定するものではないが、例えば左右幅が２０〜３０cm、高足載せ台の高さが１２〜１３cm、低足載せ台の高さが８〜９cm程度のものが採用できる。又、各足載せ台の先端部（足載せ部となる）には、それぞれ左右に適宜間隔（例えば１０〜１５cm間隔）をもって所定小深さ（例えば１cm程度の深さ）だけ円弧状に窪んだ２つの凹部を設けておくと、足載せ台上に各足を載せたときに該各足が左右に位置ずれ（脱落）しにくくなる。
【００１５】
本願の足枕は、敷布団上の足先側所定位置に置いて使用されるが、高足載せ台を下にして設置した場合には低足載せ台が上方に立上がる姿勢で維持され、逆に低足載せ台を下にして設置した場合には高足載せ台が上方に立上がる姿勢で維持されるようになっている。尚、高足載せ台及び低足載せ台の各外側面は、この足枕をそれぞれのＬ形姿勢で姿勢保持するのに十分な接地面積を有している。
【００１６】
又、本願の足枕では、高足載せ台の外側面と低足載せ台の外側面とのなす角度を、直角よりやや小さい鋭角（例えば角度８０°程度）に設定することができる。このようにすると、足枕をＬ形姿勢で設置した状態でその立上がり側足載せ台の足載せ部分がＬ形角部から若干長さだけ接地側足載せ台の中央寄りに位置するようになり、立上がり側足載せ台上に足を載せたときに、足枕の姿勢が安定する（立上がり側足載せ台が接地側足載せ台の反延出側にも転倒しにくくなる）。
【００１７】
本願の足枕には、該足枕が敷布団の上で使用位置から足先側に位置ずれしたときに、寝たままの状態で足枕を使用位置に引き寄せるための引き紐を取付けておくとよい。
【００１８】
又、本願の足枕は、高足載せ台と低足載せ台とを略Ｌ形に一体形成しただけのものでもよいが、足枕本体のＬ形角部を所定面積の台板上に枢軸で枢着して、前後に起伏させ得るように構成したものでもよい。このように、足枕本体を台板上に枢着したものでは、該台板が敷布団に対してかなりの接触面積を有しているので、足枕の全体が敷布団上で位置ずれしにくくなる。
【００１９】
本願の安眠足枕は、次のようにして使用される。即ち、この足枕は敷布団上の足先側所定位置においてＬ形姿勢で設置して使用されるが、その際、足を低位置（敷布団上面から７〜８cm）で支持したいときには低足載せ台が立上がる姿勢で設置する。このときの足枕の姿勢設定は、単にどちらかの足載せ台を水平にして敷布団上に置くだけでよい。又、立上がり側足載せ台上には、各足の足首部を載せたりあるいは脹ら脛部を載せたりすることができるが、その足の載せたい部分（足首部か脹ら脛部か）に立上がり側足載せ台が対応するように位置させる。
【００２０】
そして、使用者が敷布団上に仰向きで横臥し、立上がり側足載せ台上に各足の希望位置（足首部又は脹ら脛部）を載せると、足先側が所望高さに支持される。又、足載せ高さを変更したい場合には、足枕を回転させて立上がり側足載せ台を水平にして敷布団上に置くだけでよい。
【考案の効果】
【００２１】
上記のように、本願考案の安眠足枕は、高足載せ台と低足載せ台とを略Ｌ形に一体形成して構成されたものであるから、単一で且つ簡単な構成でもって足載せ高さを高低２通りに変更でき、しかもその高低変更操作が非常に簡単に行えるという効果がある。
【００２２】
又、高足載せ台の外側面と低足載せ台の外側面とのなす角度を直角よりやや小さい鋭角（例えば角度８０°）にすると、足枕を略Ｌ形に形成したものであっても、立上がり側足載せ台上に足を載せたときに、足枕の姿勢が安定する（立上がり側足載せ台が接地側足載せ台の反延出側にも転倒しにくくなる）という効果がある。
【００２３】
さらに、夜就寝時、本願考案の安眠足枕に両足の足首部又は脹ら脛部を載せると、脹ら脛部、ふともも又は腰の運動を容易に行える。そして、そのように足、腰を上下・左右に動かすときに、その数を数えているとこれに意識が集中し、いつのまにか眠りに入ることができるという効果もある。
【実施例】
【００２４】
以下、図１〜図４を参照して本願実施例の安眠足枕を説明すると、図１〜図３には第１実施例が示され、図４には第２実施例が示されている。
【００２５】
第１実施例
図１〜図３に示す第１実施例の安眠足枕は、使用者が仰向き横臥姿勢でそれぞれ足を載せ得る２つの足載せ台２，３を略Ｌ形に一体形成してなる足枕本体１に引き紐４を取付けて構成されている。
【００２６】
足枕本体１は、図２に示すように略Ｌ形に成形した芯材１１の外側をカバー材１２で被覆して形成している。この実施例では、芯材１１としてウレタンフォームのような保形性と適度の弾性を有する材料が使用されており、カバー材１２として例えば布地のような薄シートが使用されている。尚、この芯材１１及びカバー材１２は適宜の材料で形成することができる。又、芯材１１の中には、必要に応じて硬質材からなる補強芯材を埋設してもよい。
【００２７】
足枕本体１の各足載せ台２，３は、その一方を所定高さの高足載せ台２とし他方をそれより高さの低い低足載せ台３としている。この各足載せ台２，３は、図３の（Ａ）〜（Ｄ）に示すように足Ｆの足首部Ｆａや脹ら脛部Ｆｂを載せ得るものである。
【００２８】
足枕本体１の大きさは、この第１実施例では左右幅Ｗが２０〜３０cm、高足載せ台２の高さＬが１２〜１３cm、低足載せ台３の高さＭが８〜９cm程度に設定されている。又、各足載せ台２，３の先端部（足載せ部となる）には、それぞれ左右に適宜間隔（例えば１０〜１５cm間隔）をもって所定小深さ（例えば１cm程度の深さ）だけ円弧状に窪んだ２つの凹部２１，２１（３１，３１）を設けている。この各凹部２１，２１（３１，３１）は、足載せ台２，３上に各足Ｆ（図３）を載せたときに該各足Ｆが左右に位置ずれ（脱落）しないようにするためのものである。
【００２９】
そして、この足枕は、図３に示すように敷布団Ｓ上の足先側所定位置に置いて使用されるが、図３の（Ａ）及び（Ｂ）のように高足載せ台２を水平にして置いた場合には低足載せ台３が上方に立上がる姿勢で維持され、逆に図３の（Ｃ）及び（Ｄ）のように低足載せ台３を水平にして置いた場合には高足載せ台２が上方に立上がる姿勢で維持されるようになっている。尚、高足載せ台２及び低足載せ台３の各外側面２２，３２は、この足枕をそれぞれのＬ形姿勢で姿勢保持するのに十分な接地面積を有している。
【００３０】
又、この足枕本体１では、高足載せ台２の外側面２２と低足載せ台３の外側面３２とのなす角度ａを、直角よりやや小さい鋭角（例えば角度８０°程度）に設定している。このようにすると、足枕本体１をＬ形姿勢で設置した状態でその立上がり側足載せ台３（又は２）の足載せ部分がＬ形角部から若干長さだけ接地側足載せ台２（又は３）の中央寄りに位置するようになる。
【００３１】
引き紐４は、足枕本体１が敷布団Ｓの上で使用位置から足先側に位置ずれしたときに、寝たままの状態で足枕本体１を使用位置に引き寄せるためのものである。この引き紐４の基端側は、二股に分岐させてその各先端を足枕本体１におけるＬ形角部付近の左右各側面に固定している。尚、この引き紐４の全長は、例えば２ｍ程度あればよい。
【００３２】
この第１実施例の安眠足枕は、図３の（Ａ）〜（Ｄ）に示すような形態で使用することができる。
【００３３】
図３（Ａ）の足枕使用形態では、高足載せ台２を頭側に向けて敷布団Ｓ上に置くとともに、立上がり側の低足載せ台３が仰向き横臥姿勢での足首部Ｆａに対応するように位置させている。この状態では、低足載せ台３上（各凹部３１，３１上）に各足首部Ｆａを載せることによって、該各足首部Ｆａを比較的低い高さ位置（７〜８cm高さ）で支持できる。
【００３４】
図３（Ｂ）の足枕使用形態では、高足載せ台２を足先側に向けて敷布団Ｓ上に置くとともに、立上がり側の低足載せ台３が仰向き横臥姿勢での脹ら脛部Ｆｂに対応するように位置させている。この状態では、低足載せ台３上（各凹部３１，３１上）に各脹ら脛部Ｆｂを載せることによって、該各脹ら脛部Ｆｂを比較的低い高さ位置（７〜８cm高さ）で支持できる。
【００３５】
図３（Ｃ）の足枕使用形態では、低足載せ台３を足先側に向けて敷布団Ｓ上に置くとともに、立上がり側の高足載せ台２が仰向き横臥姿勢での脹ら脛部Ｆｂが対応するように位置させている。この状態では、高足載せ台２上（各凹部２１，２１上）に各脹ら脛部Ｆｂを載せることによって、該各脹ら脛部Ｆｂを比較的高い高さ位置（例えば１１〜１２cm高さ）で支持できる。
【００３６】
図３（Ｄ）の足枕使用形態では、低足載せ台３を頭側に向けて敷布団Ｓ上に置くとともに、立上がり側の高足載せ台２が仰向き横臥姿勢での足首部Ｆａが対応するように位置させている。この状態では、高足載せ台２上（各凹部２１，２１上）に各足首部Ｆａを載せることによって、該各足首部Ｆａを比較的高い高さ位置（例えば１１〜１２cm高さ）で支持できる。
【００３７】
又、図３（Ａ）〜（Ｄ）の各使用形態において、引き紐４は身体の側方に沿わせて頭側に延出させておく。そして、足枕本体１が足先側に位置ずれしたときには、寝たままの状態で引き紐４を引くことと足で操作することにより布団にもぐり込まなくても足枕本体１を使用位置に引き寄せることができ、足枕本体１の位置修正操作が簡単に行える。
【００３８】
尚、図３（Ａ）〜（Ｄ）の各使用形態で、自分の足や腰の力で各足Ｆを振動させると、足載せ台に接触する部分に心地良い刺激が得られ、自然な眠りに入り易くなる。
【００３９】
この第１実施例の安眠足枕では、上記のように使用する足載せ部として高足載せ台２か低足載せ台３かを選択することで、足載せ部を使用者の好みの高さに設定して使用できる。又、この安眠足枕では、単一で且つ簡単な構成であり、しかも高低変更操作が非常に簡単に行える、という機能を備えている。
【００４０】
又、高足載せ台２の外側面２２と低足載せ台３の外側面３２とのなす角度ａを直角よりやや小さい鋭角（例えば角度８０°）にしているので、立上がり側足載せ台３（又は２）上に足を載せたときに、足枕本体１の姿勢が安定する。即ち、使用時には、図３（Ａ）〜（Ｄ）に示すように立上がり側足載せ台３（又は２）の上に足Ｆを載せた状態でその足Ｆを若干量だけ前後に押し引きすることが考えられるが、そのとき足載せ部が接地側足載せ台２（又は３）のＬ形角部より中央側に位置していると、立上がり側足載せ台３（又は２）が接地側足載せ台（又は３）の反延出側にも転倒しにくくなる。
【００４１】
第２実施例
図４に示す第２実施例の安眠足枕は、上記第１実施例の足枕本体１を所定面積の台板５上に枢着して、該足枕本体１を台板５上で前後に起伏させ得るように構成している。
【００４２】
台板５の大きさは、高足載せ台２の外側面の面積と低足載せ台３の外側面の面積の合計面積よりやや大きい程度（例えば２５cm×２５cmの大きさ）に設定されている。
【００４３】
そして、この第２実施例のものでは、足枕本体１のＬ形角部を台板５の前後方向ほぼ中央部において枢軸６で枢着して、該足枕本体１を、実線図示するように高足載せ台２が台板５上に接合する姿勢と、鎖線図示（符号１′，２′，３′）するように低足載せ台３′が台板５上に接合する姿勢との間で反転させ得るようになっている。尚、実線図示状態では低足載せ台３が立上がる姿勢となるので足を低位置で支持でき、鎖線図示状態では、高足載せ台２′が立上がる姿勢となるので足を高位置で支持できる。
【００４４】
この第２実施例の安眠足枕では、台板５がかなりの面積を有しているので、使用状態で台板５が敷布団に対してかなりの面積で接触し、足枕全体が敷布団上で位置ずれしにくくなる。又、足枕本体１が枢軸６で台板５上に枢着されているので、足枕本体１を姿勢変更（反転）させるときに該足枕本体１が台板５に対して位置ずれすることがない。
【００４５】
尚、この第２実施例の安眠足枕のその他の構成及び機能は、第１実施例のものと同じであるので、上記第１実施例の説明を援用する。
【図面の簡単な説明】
【００４６】
【図１】本願第１実施例の安眠足枕の斜視図である。
【図２】図１のII−II断面図である。
【図３】図１の安眠足枕の使用形態説明図である。
【図４】本願第２実施例の安眠足枕の斜視図である。
【符号の説明】
【００４７】
１は足枕本体、２は高足載せ台、３は低足載せ台、４は引き紐、５は台板、６は枢軸、１１は芯材、１２はカバー材、２１は高足載せ台の凹部、２２は高足載せ台の外側面、３１は低足載せ台の凹部、３２は低足載せ台の外側面である。
【図１】
0003131801.tif 000003
【図２】
0003131801.tif 000004
【図３】
0003131801.tif 000005
【図４】
0003131801.tif 000006